【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における基準信号送信の識別を改善するための方法であって、
１つまたは複数の干渉信号中の基準信号送信に関係する１つまたは複数の制限を識別することと、
前記１つまたは複数の制限に少なくとも部分的に基づいて、前記１つまたは複数の干渉信号中で受信された１つまたは複数の基準信号送信を検出することと、
サービング基地局との通信を改善するために、前記１つまたは複数の干渉信号中で受信された前記１つまたは複数の基準信号送信を処理することと
を備え、前記１つまたは複数の基準信号送信を処理することが、
前記１つまたは複数の基準信号送信に関係するチャネルを推定すること、
前記１つまたは複数の基準信号送信によって前記サービング基地局からの通信に対して引き起こされる干渉を消去すること、
前記１つまたは複数の基準信号送信の仮想セル識別子を決定すること、あるいは、
前記１つまたは複数の基準信号送信を使用してレートマッチングのためのリソース要素ロケーションを決定すること
のうちの１つまたは複数を含む、方法。
【請求項２】
複数の多入力多出力（ＭＩＭＯ）レイヤ中で送信する前記サービング基地局、あるいは１つまたは複数の非サービング基地局のうちの少なくとも１つから前記１つまたは複数の干渉信号を受信することをさらに備える、請求項１に記載の方法。
【請求項３】
前記１つまたは複数の制限を識別することが、ハードコード化情報から前記１つまたは複数の制限を決定すること、事業者ネットワーク構成から前記１つまたは複数の制限を受信すること、あるいは前記サービング基地局からの１つまたは複数の信号中で前記１つまたは複数の制限を受信することを備える、請求項１に記載の方法。
【請求項４】
前記１つまたは複数の制限が、前記１つまたは複数の基準信号送信のための、前記１つまたは複数の干渉信号を送信する、１つまたは複数のｅＮＢによって使用される周期性に対する制限を含み、前記１つまたは複数の基準信号送信を検出することが、前記周期性に基づいて前記１つまたは複数の基準信号送信を検出することを備える、請求項１に記載の方法。
【請求項５】
前記１つまたは複数の制限を識別することが、前記１つまたは複数の基準信号送信のための前記周期性の指示を受信することを備える、請求項４に記載の方法。
【請求項６】
前記１つまたは複数の制限を識別することが、前記１つまたは複数の基準信号送信のための可能な周期性の数の指示を受信することを含み、前記１つまたは複数の基準信号送信を検出することが、可能な周期性の前記数と複数の前に検出された基準信号送信とに少なくとも部分的に基づいて前記周期性を決定することを備える、請求項４に記載の方法。
【請求項７】
前記１つまたは複数の制限を識別することが、アンテナポート構成を決定することに少なくとも部分的に基づいて前記周期性を決定することを備える、請求項４に記載の方法。
【請求項８】
前記１つまたは複数の制限が、前記１つまたは複数の基準信号送信のためのアンテナポートの数に対する制限を含み、前記１つまたは複数の基準信号送信を検出することが、アンテナポートの前記数に対応するアンテナポート構成に少なくとも部分的に基づいて前記１つまたは複数の基準信号送信を検出することを備える、請求項１に記載の方法。
【請求項９】
前記１つまたは複数の制限を識別することが、前記１つまたは複数の基準信号送信のための前記アンテナポート構成の指示を受信することを備える、請求項８に記載の方法。
【請求項１０】
前記１つまたは複数の制限を識別することが、前記１つまたは複数の基準信号送信のために使用されるアンテナポート構成の数の指示を受信することを含み、前記１つまたは複数の基準信号送信を検出することが、アンテナポート構成の前記数と複数の前に検出された基準信号送信とに少なくとも部分的に基づいて、前記１つまたは複数の基準信号送信のために使用される前記アンテナポート構成を決定することを備える、請求項８に記載の方法。
【請求項１１】
前記１つまたは複数の制限を識別することが、前記１つまたは複数の基準信号送信を送信するための周期性を決定することに少なくとも部分的に基づいて前記アンテナポート構成を決定することを備える、請求項８に記載の方法。
【請求項１２】
前記１つまたは複数の制限が、前記１つまたは複数の基準信号送信に関係する仮想セル識別子に対する制限を含み、前記１つまたは複数の基準信号送信を検出することが、前記仮想セル識別子に基づいて前記１つまたは複数の基準信号送信を検出することを備える、請求項１に記載の方法。
【請求項１３】
前記１つまたは複数の制限を識別することが、前記１つまたは複数の基準信号送信に関係する前記仮想セル識別子の指示あるいは前記仮想セル識別子の範囲を受信することを備え、前記１つまたは複数の基準信号送信を検出することが、前記仮想セル識別子に基づいて前記１つまたは複数の基準信号送信を検出することを備える、請求項１２に記載の方法。
【請求項１４】
前記１つまたは複数の制限を識別することが、前記仮想セル識別子に１つまたは複数の物理セル識別子を関連付ける規則に少なくとも部分的に基づいて前記仮想セル識別子を決定することを備える、請求項１２に記載の方法。
【請求項１５】
前記１つまたは複数の制限が、ある時間期間における基準信号送信の数に対する制限を含み、前記１つまたは複数の基準信号送信を検出することが、同様の特性を有する複数信号を検出することを備え、ここにおいて、前記１つまたは複数の信号の数が、基準信号送信の前記数に対する前記制限に等しい、請求項１に記載の方法。
【請求項１６】
ユーザ機器（ＵＥ）における基準信号送信の識別を改善するための装置であって、
メモリと、
前記メモリに結合された少なくとも１つのプロセッサと
を備え、前記少なくとも１つのプロセッサが、
１つまたは複数の干渉信号中の基準信号送信に関係する１つまたは複数の制限を識別することと、
前記１つまたは複数の制限に少なくとも部分的に基づいて、前記１つまたは複数の干渉信号中で受信された１つまたは複数の基準信号送信を検出することと、
前記１つまたは複数の基準信号送信に関係するチャネルを推定すること、
前記１つまたは複数の基準信号送信によってサービング基地局からの通信に対して引き起こされる干渉を消去すること、
前記１つまたは複数の基準信号送信の仮想セル識別子を決定すること、あるいは、
前記１つまたは複数の基準信号送信を使用してレートマッチングのためのリソース要素ロケーションを決定すること
のうちの１つまたは複数によって、前記サービング基地局との通信を改善するために、前記１つまたは複数の干渉信号中で受信された前記１つまたは複数の基準信号送信を処理することと
を行うように構成された、装置。
【請求項１７】
複数の多入力多出力（ＭＩＭＯ）レイヤ中で送信する前記サービング基地局、あるいは１つまたは複数の非サービング基地局のうちの少なくとも１つから前記１つまたは複数の干渉信号を受信するためのトランシーバをさらに備える、請求項１６に記載の装置。
【請求項１８】
前記１つまたは複数の制限を前記識別することが、ハードコード化情報から前記１つまたは複数の制限を決定すること、事業者ネットワーク構成において前記１つまたは複数の制限を受信すること、あるいは前記サービング基地局から前記１つまたは複数の制限を受信することに少なくとも部分的に基づく、請求項１６に記載の装置。
【請求項１９】
前記１つまたは複数の制限が、前記１つまたは複数の基準信号送信のための、前記１つまたは複数の干渉信号を送信する、１つまたは複数のｅＮＢによって使用される周期性に対する制限を含み、前記１つまたは複数の基準信号送信を前記検出することが、前記周期性に少なくとも部分的に基づく、請求項１６に記載の装置。
【請求項２０】
前記１つまたは複数の制限を前記識別することが、前記１つまたは複数の基準信号送信のための前記周期性の指示を受信することによって少なくとも部分的に基づく、請求項１９に記載の装置。
【請求項２１】
前記１つまたは複数の制限を前記識別することが、前記１つまたは複数の基準信号送信のための可能な周期性の数の指示を受信することに少なくとも部分的に基づき、前記少なくとも１つのプロセッサが、可能な周期性の前記数と複数の前に検出された基準信号送信とに少なくとも部分的に基づいて前記周期性を決定するようにさらに構成された、請求項１９に記載の装置。
【請求項２２】
前記１つまたは複数の制限が、前記１つまたは複数の基準信号送信のためのアンテナポートの数に対する制限を含み、前記１つまたは複数の基準信号送信を前記検出することが、アンテナポートの前記数に対応するアンテナポート構成に少なくとも部分的に基づく、請求項１６に記載の装置。
【請求項２３】
前記１つまたは複数の制限を前記識別することが、少なくとも部分的に、１つまたは複数のｅＮＢによって使用される前記アンテナポート構成の指示を受信することによるものである、請求項２２に記載の装置。
【請求項２４】
前記１つまたは複数の制限を前記識別することが、少なくとも部分的に、１つまたは複数のｅＮＢによって使用されるアンテナポート構成の数の指示を受信することによるものであり、前記少なくとも１つのプロセッサが、アンテナポート構成の前記数と複数の前に検出された基準信号送信とに少なくとも部分的に基づいて、前記１つまたは複数の基準信号送信のために使用される前記アンテナポート構成を決定するようにさらに構成された、請求項２２に記載の装置。
【請求項２５】
前記１つまたは複数の制限が、前記１つまたは複数の基準信号送信に関係する仮想セル識別子に対する制限を含み、前記１つまたは複数の基準信号送信を前記検出することが、前記仮想セル識別子に基づく、請求項１６に記載の装置。
【請求項２６】
前記１つまたは複数の制限が、ある時間期間における基準信号送信の数に対する制限を含み、前記１つまたは複数の基準信号送信を前記検出することが、同様の特性を有する１つまたは複数のｅＮＢから受信された複数信号を検出することに少なくとも部分的に基づき、ここにおいて、前記１つまたは複数の信号の数が、基準信号送信の前記数に対する前記制限に等しい、請求項１６に記載の装置。
【請求項２７】
ユーザ機器（ＵＥ）における基準信号送信の識別を改善するための装置であって、
１つまたは複数の干渉信号中の基準信号送信に関係する１つまたは複数の制限を識別するための手段と、
前記１つまたは複数の制限に少なくとも部分的に基づいて、前記１つまたは複数の干渉信号中で受信された１つまたは複数の基準信号送信を検出するための手段と、
前記１つまたは複数の基準信号送信に関係するチャネルを推定すること、
前記１つまたは複数の基準信号送信によってサービング基地局からの通信に対して引き起こされる干渉を消去すること、
前記１つまたは複数の基準信号送信の仮想セル識別子を決定すること、あるいは、
前記１つまたは複数の基準信号送信を使用してレートマッチングのためのリソース要素ロケーションを決定すること
のうちの１つまたは複数によって、前記サービング基地局との通信を改善するために、前記１つまたは複数の干渉信号中で受信された前記１つまたは複数の基準信号送信を処理するための手段と
を備える、装置。
【請求項２８】
ユーザ機器（ＵＥ）における基準信号送信の識別を改善するための、非一時的コンピュータ可読媒体であって、
１つまたは複数の干渉信号中の基準信号送信に関係する１つまたは複数の制限を識別することと、
前記１つまたは複数の制限に少なくとも部分的に基づいて、前記１つまたは複数の干渉信号中で受信された１つまたは複数の基準信号送信を検出することと、
前記１つまたは複数の基準信号送信に関係するチャネルを推定すること、
前記１つまたは複数の基準信号送信によってサービング基地局からの通信に対して引き起こされる干渉を消去すること、
前記１つまたは複数の基準信号送信の仮想セル識別子を決定すること、あるいは、
前記１つまたは複数の基準信号送信を使用してレートマッチングのためのリソース要素ロケーションを決定すること
のうちの１つまたは複数によって、前記サービング基地局との通信を改善するために、前記１つまたは複数の干渉信号中で受信された前記１つまたは複数の基準信号送信を処理することと
を行うためのコードを備える、非一時的コンピュータ可読媒体。
【請求項２９】
複数の多入力多出力（ＭＩＭＯ）レイヤ中で送信する前記サービング基地局、あるいは１つまたは複数の非サービング基地局のうちの少なくとも１つから前記１つまたは複数の干渉信号を受信するための手段をさらに備える、請求項２７に記載の装置。
【請求項３０】
複数の多入力多出力（ＭＩＭＯ）レイヤ中で送信する前記サービング基地局、あるいは１つまたは複数の非サービング基地局のうちの少なくとも１つから前記１つまたは複数の干渉信号を受信するためのコードをさらに備える、請求項２８に記載の非一時的コンピュータ可読媒体。